(57)【要約】【課題】地球温暖化時代の水不足に備えて、住宅のガレージ・公園・菜園やビニールハウスで大量に雨水が利用できる、複数の貯留タンクを地中に埋設する雨水貯留槽を提供する。【解決手段】箱型タンク１の四側面の下部に通水接続部３と上面に空気抜き孔５を設けて成る貯留タンク２、該貯留タンク２と集水ドレン６の接続に集水ドレン接続部材７を用いて接続する。複数の貯留タンク２と貯留タンク２の接続には貯留タンク接続部材８を用いるとともに、接続に使用しない通水接続部３は止水板１２を用いて止水する。各々の接合面には止水パッキン１０を挿んでボルト１１で止水固定する。該集水ドレン６と複数の貯留タンク２を接続して成る雨水貯留槽１３を地中に埋設することで、設置場所も必要なく自由な形状と大容量の雨水貯留槽が構築できる。【選択図】  図1
2018105022.tif 000002
【特許請求の範囲】
【請求項１】
箱型タンクの四側面の下部に通水接続部と上面に空気抜き孔を設けて成る貯留タンク、該貯留タンクと集水ドレンの接続に集水ドレン接続部材を用いて接続する。複数の貯留タンクと貯留タンクの接続には貯留タンク接続部材を用いるとともに、接続に使用しない通水接続部は止水板を用いて止水する。各々の接合面には止水パッキンを挿んでボルトで止水固定する。該集水ドレンと複数の貯留タンクを接続して成る雨水貯留槽を地中に埋設することを特徴とする複数の貯留タンクを地中に埋設する雨水貯留槽。
【請求項２】
前記、箱型タンクの四側面の下部に通水接続部を設けた、複数の貯留タンクと貯留タンクの接続に貯留タンク接続部材を用いて、各々の接合面に止水パッキンを挿んでボルトで止水固定して成る貯留タンクと貯留タンクの間隙に埋戻し土を充填することで貯留タンクの上に掛かる荷重が分散軽減できることを特徴とする請求項１に記載の複数の貯留タンクを地中に埋設する雨水貯留槽。
【請求項３】
前記、複数の貯留タンクを接続して成る雨水貯留槽の貯留タンクの上に設けた空気抜き孔に空気抜き孔接続管を用いて、全ての空気抜き孔に接続して貯留タンク内の空気を排出することで雨水貯留槽内が雨水で密閉できることを特徴とする請求項１〜２に記載の複数の貯留タンクを地中に埋設する雨水貯留槽。
【請求項４】
前記、箱型タンク１の四側面下部に通水接続部を設けて成る貯留タンクの接続は、該貯留タンクの二側面の通水接続部によって複数の貯留タンクを自由な配列で接続する。他方、接続に使用しない二側面の通水接続部が雨水貯留槽の増設時に利用できることを特徴とする請求項１〜３に記載の複数の貯留タンクを地中に埋設する雨水貯留槽。
【発明の詳細な説明】
【技術分野】
【０００１】
本発明は、天からの恵の雨水を大量に貯留する地中に埋設する雨水貯留槽であって、複数の貯留タンクを地中に埋設する雨水貯留槽に関する。
【背景技術】
【０００２】
近年、地球温暖化や異常気象による降雨量不足が問題となっている。渇水期には、上水道による生活用水の給水が制限されて生活に支障を来たすことがあり、全国自治体も雨水貯留タンクの設置による雨水利用に対して補助金制度を整備するところが増えるなど、雨水貯留タンクの設置が見直されている。他方、壊滅的な被害を蒙った東北被災地の復興や南海トラフの巨大地震・東京直下型地震等で被害が予測される地域市町村は、地震・津浪・台風・竜巻・洪水・火災等の災害に耐えられる強固な雨水貯留タンクが災害時の備えとして必要であることは周知の通りである。
【０００３】
一般に、雨水を有効利用するための雨水貯留タンクの大半は、地盤面に設置し縦樋を接続して雨水を貯留している。雨水の利用目的も草花や植木の散水などの他に庭の撒き水や災害時の非常用水などの備えとして利用されている。
【０００４】
現在、一般住宅などに用いられている雨水貯留タンクは、貯水容量が小さく雨水の有効利用が制限されている。また、雨水貯留タンクは架台の上に設置して建物に固定しているが雨水貯留タンクの設置場所が必要である。さらに、雑用水に利用するための給水ポンプを必要としている。
【０００５】
他方、構築物の外壁に取付ける建築物の軒先に取付け可能に構成された、雨水導入口を上面に形成され、雨水供給口が底部側に形成された雨水の貯水層(特開2001-173027)が考案されている。
【０００６】
また、建物構造体と一体化した雨水貯留タンク(特表平10-507237)も考案されている。
【０００７】
上記の通り、多種多様な雨水貯留タンクが開発されているが、いずれも小規模で、地震・津浪・台風・竜巻・洪水・火災等の災害に耐えられる強固な雨水貯留タンクは開発がなされていない。しかしながら、渇水時や地震等の災害によりインフラが停止した場合でも水洗便器が使用できるなどの生活の備えは必要であり雨水の有効利用は大切である。
【０００８】
その他、本願発明に関連する公知技術として次の特許文献を挙げることができる。
【先行技術文献】
【特許文献】
【０００９】
【特許文献１】特許出願２００５−１１７７５８、
【発明の開示】
【発明が解決しようとする課題】
【００１０】
ところが、従来の雨水を有効利用するための雨水貯留タンクには次のような問題点がある。
【００１１】
日本の住宅地は狭く、雨水を有効利用するための雨水貯留タンクを設置するスペースの確保が困難であるとともに、一般住宅などの雨水貯留タンクは貯水容量が小さく雨水の有効利用の範囲が制限されている。また、雨水貯留タンクは架台の上に設置して外壁に転倒防止の固定をしているが、現状の外壁に強固に固定することは困難である。
【００１２】
稀にではあるが、雨水を貯めるために地下に雨水貯留タンクを造る例もあるが、土圧に耐える構造にするために高額の費用が掛かることから普及しないのが現状である。
【００１３】
また、大量の水を必要とする農園やビニールハウスは、地盤面に貯水タンクを設置して散水に備えているが雨水を自動的に蓄える貯留タンクになっていないのが現状である。他方、広い公園などの散水設備には巨大な設備費を必要とする課題もある。しかも、電気などの動力を必要とすることから、地震等の災害によるインフラ停止時には対応はできないなどの問題がある。
【００１４】
上記の問題を解決する考案もされている。例えば、構築物の外壁に取付けられた建築物の軒先に取付け可能に構成された、雨水導入口を上面に形成され、雨水供給口が底部側に形成された雨水の貯水層(特開2001-173027)や建物構造体と一体化した雨水貯留タンク(特表平10-507237)があるが、いずれも、実用化するには複雑さとコスト面で問題がある。さらに、本発明者が開発した複数の補強仕切り板を有する軒樋付雨水貯留タンク(特許第5364909)もあるがコストの面で問題がある。
【００１５】
他方、壊滅的な被害を蒙った東北被災地の復興や南海トラフの巨大地震・東京直下型地震等で被害が予測される地域、さらに、日本全国市町村は全ての災害に耐えられる強固な構築物での防災化を迅速に推進しなければならない現状にあるなかで、いずれの雨水貯留タンクも防災構築物に対応ができない問題がある。
【００１６】
しかしながら、雨水貯留タンクに集めた雨水を利用すれば水道料金や下水道料金が節約できる。さらに、貯水ダム工事も中止される時代、多種多様な構築物・各家庭・農園・ビニールハウス・公園などに雨水貯留タンクが設置されれば節水だけでなく、集中豪雨などの際の雨水流出抑制にも寄与できる。これら全ての構築物に雨水貯留タンクを備えて雨水を有効利用することは大切である。
【００１７】
本発明は、このような点に鑑みて成されたものであり、今後は地震・津浪・台風・竜巻・洪水等の災害や猛火の中でも耐えられる、複数の貯留タンクを地中に埋設する雨水貯留槽を提供することを主目的とする。
【課題を解決するための手段】
【００１８】
この発明は、上記の課題を解決するためになされたもので、箱型タンクの四側面の下部に通水接続部と上面に空気抜き孔を設けて成る貯留タンク、該貯留タンクと集水ドレンの接続に集水ドレン接続部材を用いて接続する。複数の貯留タンクと貯留タンクの接続には貯留タンク接続部材を用いるとともに、接続に使用しない通水接続部は止水板を用いて止水する。各々の接合面には止水パッキンを挿んでボルトで止水固定する。該集水ドレンと複数の貯留タンクを接続して成る雨水貯留槽を地中に埋設することを特徴とする複数の貯留タンクを地中に埋設する雨水貯留槽（請求項１）を提供する。
【００１９】
前記、箱型タンクの四側面の下部に通水接続部を設けた、複数の貯留タンクと貯留タンクの接続に貯留タンク接続部材を用いて、各々の接合面に止水パッキンを挿んでボルトで止水固定して成る貯留タンクと貯留タンクの間隙に埋戻し土を充填することで貯留タンクの上に掛かる荷重が分散軽減できることを特徴とする請求項１に記載の複数の貯留タンクを地中に埋設する雨水貯留槽（請求項２）を提供する。
【００２０】
前記、複数の貯留タンクを接続して成る雨水貯留槽の貯留タンクの上に設けた空気抜き孔に空気抜き孔接続管を用いて、全ての空気抜き孔に接続して貯留タンク内の空気を排出することで雨水貯留槽内が雨水で密閉できることを特徴とする請求項１〜２に記載の複数の貯留タンクを地中に埋設する雨水貯留槽（請求項３）を提供する。
【００２１】
前記、箱型タンク１の四側面下部に通水接続部を設けて成る貯留タンクの接続は、該貯留タンクの二側面の通水接続部によって複数の貯留タンクを自由な配列で接続する。他方、接続に使用しない二側面の通水接続部が雨水貯留槽の増設時に利用できることを特徴とする請求項１〜３に記載の複数の貯留タンクを地中に埋設する雨水貯留槽（請求項４）を提供する。
【発明の効果】
【００２２】
本発明の特筆すべき大きな効果を列挙する。
イ）地球温暖化防止可能な散水利用
ロ）火災発生時の初期消火用水活用
ハ）水不足に備える雨水貯留槽活用
二）地中埋設で地熱利用の凍結防止
ホ）地中埋設によって設置場所不要
へ）埋設面積に比例する大小の容量
ト）雨水貯留槽構築の容易な施工性
チ）雨水貯留槽の自由自在な配列可
リ）ビニールハウス等の雨水貯留槽
【００２３】
上記した効果に加えて、本発明の節水対策はもとより集中豪雨などの際の雨水流出抑制等に多大な効果が期待されることにある。さらに、災害によるインフラ停止時もトイレや雑用水など多目的に利用できる。また、経費の掛からない雨水が大量に使えることは地球温暖化防止の観点からも大切であり大きな効果である。
【００２４】
請求項１に係る発明によれば、箱型タンクの四側面の下部に通水接続部と上面に空気抜き孔を設けて成る貯留タンク、該貯留タンクと集水ドレンの接続に集水ドレン接続部材を用いて接続する。複数の貯留タンクと貯留タンクの接続には貯留タンク接続部材を用いるとともに、接続に使用しない通水接続部は止水板を用いて止水する。各々の接合面には止水パッキンを挿んでボルトで止水固定する。該集水ドレンと複数の貯留タンクを接続して成る雨水貯留槽を地中に埋設することにより、全ての災害に耐えられる強固な雨水貯留槽となる。他方、複数の貯留タンクを地中に埋設する雨水貯留槽は、多種多様な構築物・各家庭・農園・ビニールハウス・公園などに設置されれば節水だけでなく、集中豪雨などの際の雨水流出抑制にも寄与できるとともに、これら全ての構築物に雨水貯留槽を備えて雨水を大切に有効利用する効果は無限である。
【００２５】
請求項２に係る発明によれば、前記、箱型タンクの四側面の下部に通水接続部を設けた、複数の貯留タンクと貯留タンクの接続に貯留タンク接続部材を用いて、各々の接合面に止水パッキンを挿んでボルトで止水固定して成る貯留タンクと貯留タンクの間隙に埋戻し土を充填することで貯留タンクの上に掛かる荷重が分散軽減できることは、雨水貯留槽を低価格で普及できる効果は大きい。
【００２６】
請求項３に係る発明によれば、前記、複数の貯留タンクを接続して成る雨水貯留槽の貯留タンクの上に設けた空気抜き孔に空気抜き孔接続管を用いて、全ての空気抜き孔に接続して貯留タンク内の空気を排出することで雨水貯留槽内が雨水で密閉できることにより、小さな貯留タンクの貯水量を最大限にできる効果は大きい。
【００２７】
請求項４に係る発明によれば、前記、箱型タンク１の四側面下部に通水接続部を設けて成る貯留タンクの接続は、該貯留タンクの二側面の通水接続部によって複数の貯留タンクを自由な配列で接続する。他方、接続に使用しない二側面の通水接続部が雨水貯留槽の増設時に利用できることによって雨水貯留槽の貯水量が増量できる効果も大きい。
【００２８】
また、雨水貯留槽を地中に埋設することにより、雨水貯留タンクを設置する場所を確保する必要がないことは特に大きな効果である。また、雨水貯留槽上が自由に使えることは特に大きな効果である。
【００２９】
さらに、雨水貯留槽を地中に埋設することにより、雨水貯留タンクの素材の選択が容易になる効果と素材の強度厚が緩和される効果もコスト面から大きな効果である。
【発明を実施するための最良の形態】
【００３０】
以下に、本発明の実施形態の添付図面を参照しつつ詳細に説明する。
【００３１】
図1は、本発明に係る複数の貯留タンクを地中に埋設する雨水貯留槽の平面図、図２は、図１のA〜A´の断面図。図３は、貯留タンクの平面詳細図。図４は、貯留タンクの断面詳細図。図５は、貯留タンクの接続部を拡大した平面詳細図。図６は、貯留タンクの接続部を拡大した断面詳細図。
【００３２】
本発明の実施形態を図面で説明すれば、図１は、箱型タンク１の四側面の下部に通水接続部３と上面に空気抜き孔５を設けて成る貯留タンク２、該貯留タンク２と集水ドレン６の接続に集水ドレン接続部材７を用いて接続する。複数の貯留タンク２と貯留タンク２の接続には貯留タンク接続部材８を用いるとともに、接続に使用しない通水接続部３は止水板１２を用いて止水する。各々の接合面には止水パッキン１０を挿んでボルト１１で止水固定する。該集水ドレン６と複数の貯留タンク２を接続して成る雨水貯留槽１３の本発明に係る複数の貯留タンクを地中に埋設する雨水貯留槽の平面図である。
【００３３】
図２は、図１のA〜A´の断面図である。
【００３４】
図３は、貯留タンクの平面詳細図である。
【００３５】
図４は、貯留タンクの断面詳細図である。
【００３６】
図５は、貯留タンクの接続部を拡大した平面詳細図である。
【００３７】
図６は、貯留タンクの接続部を拡大した断面詳細図である。
【００３８】
以上、図面について説明したが、本発明は、従来のように狭い面積で高さの高い貯水槽を地上に設置した場合は設置場所や貯水量等に課題があり、該貯水槽を地下に埋設した場合は土圧を考慮しなければならないことから設置コスト等に課題があった。他方、本発明の複数の貯留タンクを地中に埋設する雨水貯留槽の場合は、２０リットル程度の貯留タンクを数多く地中に埋設して広い面積で貯水量を確保することから、貯留タンクの接続部分が盛土スペースとなり土圧が軽減できるとともに、高度な技能を必要とすることなく多能工でも迅速且つ安全で容易に雨水貯留槽が構築できることを目的としたものである。
【００３９】
さらに、本発明の複数の貯留タンクを地中に埋設する雨水貯留槽の場合は、地中に埋設することから地熱によって凍結しない雨水貯留槽となる。
【実施例１】
【００４０】
「住宅に雨水貯留槽を設置する場合の実施例」、一家に一台の自動車社会に於いて、今日の住宅建設地には駐車スペースが設けられている。該駐車スペースの地中に１平方メートル当り４台が埋設できる箱型タンク１（約３５０ｍｍ×３５０ｍｍ×H１５０ｍｍ）の四側面の下部に約６０ｍｍφの通水接続部３と上面に約２０ｍｍφの空気抜き孔５を設けて成る貯留タンク２、該貯留タンク２と縦樋１５から雨水１６を集水する集水ドレン６の接続は集水ドレン接続部材７を用いて接続する。貯留タンク２と貯留タンク２の接続には貯留タンク接続部材８を用いて複数の貯留タンク２を連結して成る雨水貯留槽１３の接続部に埋戻し土１４を充填して、該雨水貯留槽１３の上にコンクリート１７を打設して雨水貯留槽１３の保護床とする。また、接続に使用しない通水接続部３は止水板１２を用いて止水して増設に備える。他方、各々の接合面には止水パッキン１０を挿んでボルト１１で止水固定する。貯留タンク２の上に設けた空気抜き孔５については、約２０ｍｍφの空気抜き孔接続管９を用いて、全ての空気抜き孔５に接続して貯留タンク２内の空気を地上へ排出して成る複数の貯留タンクを地中に埋設する雨水貯留槽。住宅に設置する雨水貯留槽の貯水量は駐車スペースが１５平米であれば約１立米の雨水が貯留できることになり、地球温暖化防止の散水や災害によるインフラ停止時のトイレの洗浄水など、雨水の貯留水は大切な生活用水となるとともに集中豪雨などの際の雨水流出抑制にも寄与できる。
【実施例２】
【００４１】
「平坦地の農園や果樹園に雨水貯留槽を設置する場合の実施例」、大半の平坦地の農園や果樹園には荷役場や駐車スペースが設けられている。該荷役場や駐車スペースを雨水の集水床として活用して本発明に係る集水ドレン６を設ける雨水集水方法で、該荷役場や駐車スペースの地中に１平方メートル当り４台が埋設できる箱型タンク１（約３５０ｍｍ×３５０ｍｍ×H１５０ｍｍ）の四側面の下部に約６０ｍｍφの通水接続部３と上面に約２０ｍｍφの空気抜き孔５を設けて成る貯留タンク２、該貯留タンク２と縦樋１５から雨水１６を集水する集水ドレン６の接続は集水ドレン接続部材７を用いて接続する。貯留タンク２と貯留タンク２の接続には貯留タンク接続部材８を用いて複数の貯留タンク２を連結して成る雨水貯留槽１３の接続部に埋戻し土１４を充填して、該荷役場や駐車スペースの上にコンクリート１７を打設して雨水貯留槽１３の保護床とするとともに荷役場や駐車スペースとして利用ができる。また、接続に使用しない通水接続部３は止水板１２を用いて止水して増設に備える。他方、各々の接合面には止水パッキン１０を挿んでボルト１１で止水固定する。貯留タンク２の上に設けた空気抜き孔５については、約２０ｍｍφの空気抜き孔接続管９を用いて、全ての空気抜き孔５に接続して貯留タンク２内の空気を地上へ排出して成る複数の貯留タンクを地中に埋設する雨水貯留槽。平坦地の農園や果樹園に設置する雨水貯留槽の貯水量は荷役場や駐車スペースの面積が３０平米であれば約２立米の雨水が貯留できることになり、農園や果樹園の散水や異常気象による水不足に対応ができるとともに集中豪雨などの際の雨水流出抑制にも寄与できる。
【実施例３】
【００４２】
「段々畑の果樹園に雨水貯留槽を設置する場合の実施例」、段々畑の果樹園に雨水貯留槽を設置する場合は、最上段の果樹園に大容量の雨水貯留槽を敷設する場合と各々の段々畑に雨水貯留槽を敷設する場合が考えられる。何れも集水スペースを設けて本発明に係る集水ドレン６を設ける雨水集水方法で、段々畑の地中に１平方メートル当り４台が埋設できる箱型タンク１（約３５０ｍｍ×３５０ｍｍ×H１５０ｍｍ）の四側面の下部に約６０ｍｍφの通水接続部３と上面に約２０ｍｍφの空気抜き孔５を設けて成る貯留タンク２、該貯留タンク２と縦樋１５から雨水１６を集水する集水ドレン６の接続は集水ドレン接続部材７を用いて接続する。貯留タンク２と貯留タンク２の接続には貯留タンク接続部材８を用いて複数の貯留タンク２を連結して成る雨水貯留槽１３の接続部に埋戻し土１４を充填して雨水貯留槽１３の保護床を構成するとともに段々畑の荷役場として利用ができる。また、接続に使用しない通水接続部３は止水板１２を用いて止水して増設に備える。他方、各々の接合面には止水パッキン１０を挿んでボルト１１で止水固定する。貯留タンク２の上に設けた空気抜き孔５については、約２０ｍｍφの空気抜き孔接続管９を用いて、全ての空気抜き孔５に接続して貯留タンク２内の空気を地上へ排出して成る複数の貯留タンクを地中に埋設する雨水貯留槽。段々畑の果樹園の場合は段差を利用した散水も可能となる。
【実施例４】
【００４３】
「ビニールハウスに雨水貯留槽を設置する場合の実施例」、ビニールハウスの側面に設けた溝の雨水を本発明に係る集水ドレン６に集水する雨水集水方法で、該ビニールハウスの収穫作業スペースの地中に１平方メートル当り４台が埋設できる箱型タンク１（約３５０ｍｍ×３５０ｍｍ×H１５０ｍｍ）の四側面の下部に約６０ｍｍφの通水接続部３と上面に約２０ｍｍφの空気抜き孔５を設けて成る貯留タンク２、該貯留タンク２と縦樋１５から雨水１６を集水する集水ドレン６の接続は集水ドレン接続部材７を用いて接続する。貯留タンク２と貯留タンク２の接続には貯留タンク接続部材８を用いて複数の貯留タンク２を連結して成る雨水貯留槽１３の接続部に埋戻し土１４を充填して、該ビニールハウスの収穫作業スペースの上に床を構成して雨水貯留槽１３の保護床とするとともにビニールハウスの収穫作業スペースとして利用ができる。また、接続に使用しない通水接続部３は止水板１２を用いて止水して増設に備える。他方、各々の接合面には止水パッキン１０を挿んでボルト１１で止水固定する。貯留タンク２の上に設けた空気抜き孔５については、約２０ｍｍφの空気抜き孔接続管９を用いて、全ての空気抜き孔５に接続して貯留タンク２内の空気を地上へ排出して成る複数の貯留タンクを地中に埋設する雨水貯留槽。ビニールハウスの収穫作業スペースの奥行きを５０ｍとして貯留タンク２を一列に連結敷設した場合の貯水量は約２立米の雨水が貯留できることになり、複数列敷設すればビニールハウスで使用する十分な水の確保が可能となる。さらに、薬剤を混入した薬剤水貯水槽も容易に敷設できます。
【実施例５】
【００４４】
「公園等に雨水貯留槽を設置する場合の実施例」、公園等に設置する雨水貯留槽は、広さを考慮して小さいブロック毎に公園から雨水を本発明に係る集水ドレン６に集水する雨水集水方法で、公園の地中に１平方メートル当り４台が埋設できる箱型タンク１（約３５０ｍｍ×３５０ｍｍ×H１５０ｍｍ）の四側面の下部に約６０ｍｍφの通水接続部３と上面に約２０ｍｍφの空気抜き孔５を設けて成る貯留タンク２、該貯留タンク２と縦樋１５から雨水１６を集水する集水ドレン６の接続は集水ドレン接続部材７を用いて接続する。貯留タンク２と貯留タンク２の接続には貯留タンク接続部材８を用いて複数の貯留タンク２を連結して成る雨水貯留槽１３の接続部に埋戻し土１４を充填して、該雨水貯留槽１３の上にコンクリート１７を打設して雨水貯留槽１３の保護床とする。また、接続に使用しない通水接続部３は止水板１２を用いて止水して増設に備える。他方、各々の接合面には止水パッキン１０を挿んでボルト１１で止水固定する。貯留タンク２の上に設けた空気抜き孔５については、約２０ｍｍφの空気抜き孔接続管９を用いて、全ての空気抜き孔５に接続して貯留タンク２内の空気を地上へ排出して成る複数の貯留タンクを地中に埋設する雨水貯留槽。該雨水貯留槽の貯留水を給水タンクに貯えて「小さいブロック」毎に散水する。
【実施例６】
【００４５】
「構築物の屋上に雨水貯留槽を設置する場合の実施例」、コンクリート構築物の屋上に１平方メートル当り４台が埋設できる箱型タンク１（約３５０ｍｍ×３５０ｍｍ×H１５０ｍｍ）の四側面の下部に約６０ｍｍφの通水接続部３と上面に約２０ｍｍφの空気抜き孔５を設けて成る貯留タンク２、該貯留タンク２と縦樋１５から雨水１６を集水する集水ドレン６の接続は集水ドレン接続部材７を用いて接続する。貯留タンク２と貯留タンク２の接続には貯留タンク接続部材８を用いて複数の貯留タンク２を連結して成る雨水貯留槽１３、該雨水貯留槽１３の上にコンクリート１７を打設して雨水貯留槽１３の保護床とする。また、接続に使用しない通水接続部３は止水板１２を用いて止水する。他方、各々の接合面には止水パッキン１０を挿んでボルト１１で止水固定する。貯留タンク２の上に設けた空気抜き孔５については、約２０ｍｍφの空気抜き孔接続管９を用いて、全ての空気抜き孔５に接続して貯留タンク２内の空気を屋上外へ排出して成る複数の貯留タンクをコンクリート内に埋設する雨水貯留槽となる。コンクリート構築物の屋上に設置する雨水貯留槽の貯水量はコンクリート構築物が１５平米であれば約１立米の雨水が貯留できることになり、地球温暖化による渇水時や災害によるインフラの停止時の雨水１６は命の水となる。
【００４６】
実施例１〜６によって
イ）貯留タンクの寸法を変えることによって貯水量が変更できる。
ロ）貯留タンクの数量を変えることによって貯水量が変更できる。
ハ）貯留タンクの連結・配列形状・貯水量の設定が自由にできる。
二）雨水貯留槽の地中への埋設によって地上が自由に利用できる。
ホ）雨水貯留槽の敷設は高度な技術を必要としない容易な施工性。
【００４７】
なお、この発明に於いて、実施例や図面に示した寸法や各部材は一例を示したものであり、同様の機能を果たす公知の他の寸法や部材に置き換えることは可能である。例えば貯留タンクの厚さや形状や大きさも自由に設定ができる。さらに、連結部材や止水方法や材料についても自由に設定できるとともに発明に支障なく実施することができる。
【産業上の利用可能性】
【００４８】
災害が予測される「南海トラフ」巨大地震・東京直下型地震・富士山の噴火・豪雪・豪雨災害等で発生するインフラの停止で水不足が生活に支障を起こす可能性は大きい。特に水洗トイレが普及している、今日、水の無い生活は不可能であるとともに地球温暖化や異常気象による降水量不足による水不足が問題視されている。このような現状のなかで天からの贈り物である雨水が活用できる複数の貯留タンクを地中に埋設する雨水貯留槽が多種多様な構築物・各家庭・農園・ビニールハウス・公園などに設置されれば、節水だけでなく集中豪雨などの際の雨水流出抑制にも寄与できる。
【図面の簡単な説明】
【００４９】
【図１】本発明に係る複数の貯留タンクを地中に埋設する雨水貯留槽の平面図。
【図２】図１のA〜A´の断面図。
【図３】貯留タンクの平面詳細図。
【図４】貯留タンクの断面詳細図。
【図５】貯留タンクの接続部を拡大した平面詳細図。
【図６】貯留タンクの接続部を拡大した断面詳細図。
【符号の説明】
【００５０】
1.箱型タンク
2.雨水貯留タンク
3.通水接続部
4.通水孔
5.空気抜き孔
6.集水ドレン
7.集水ドレン接続部材
8.雨水貯留タンク接続部材
9.空気抜き孔接続管
10.止水パッキン
11.ボルト
12.止水板
13.雨水貯留槽
14.埋戻し土
15.竪樋
16.雨水
17.コンクリート
【図１】
2018105022.tif 000003
【図２】
2018105022.tif 000004
【図３】
2018105022.tif 000005
【図４】
2018105022.tif 000006
【図５】
2018105022.tif 000007
【図６】
2018105022.tif 000008